(57)【要約】【課題】追い焚き時において湯水に含まれる炭酸ガスの析出を防止して、炭酸濃度の低下を防止すると共に安全性を高めることができる炭酸風呂を提供する。【解決手段】炭酸ガスを溶解させた湯水を浴槽２に供給する炭酸風呂モードと、炭酸ガスが溶解していない湯水を浴槽２に供給する通常風呂モードを備える。浴槽２内の湯水を循環路１１を介して循環させる循環ポンプ３と、循環路１１に設けられて循環路１１を流れる湯水を加熱する加熱部１を備える。循環ポンプ３で浴槽２内の湯水を循環させると共に加熱部１で循環路１１を流れる湯水を加熱する通常風呂モード用の追い焚きと、循環ポンプ３で浴槽２内の湯水を循環させると共に加熱部１で循環路１１を流れる湯水を加熱して前記通常風呂モード用の追い焚きよりも温度の低い低温湯とする炭酸風呂モード用の追い焚きを行う制御部４を備える。【選択図】図１
2011212129.tif 000002
【特許請求の範囲】
【請求項１】
炭酸ガスを溶解させた湯水を浴槽に供給する炭酸風呂モードと、炭酸ガスが溶解していない湯水を前記浴槽に供給する通常風呂モードを備え、前記浴槽内の湯水を循環路を介して循環させる循環ポンプと、前記循環路に設けられて前記循環路を流れる湯水を加熱する加熱部を備え、前記循環ポンプで前記浴槽内の湯水を循環させると共に前記加熱部で前記循環路を流れる湯水を加熱する通常風呂モード用の追い焚きと、前記循環ポンプで前記浴槽内の湯水を循環させると共に前記加熱部で前記循環路を流れる湯水を加熱して前記通常風呂モード用の追い焚き時よりも温度の低い低温湯とする炭酸風呂モード用の追い焚きとを行う制御部を備えたことを特徴とする炭酸風呂。
【請求項２】
熱媒用流路を介して熱媒体を循環させる熱媒用ポンプが設けられ、前記熱媒用流路が前記熱媒用ポンプよりも下流側の分岐部において高温側流路と低温側流路に分岐し、前記高温側流路に熱媒体を加熱する熱媒加熱手段が設けられ、前記高温側流路が前記熱媒加熱手段よりも下流側において高温端末側流路と分岐路とに分岐し、前記分岐路の下流端が前記分岐部よりも上流側の熱媒用流路に接続され、前記熱媒加熱手段により加熱された熱媒体が前記高温端末側流路に供給される高温熱媒供給運転と、前記熱媒加熱手段により加熱された熱媒体が前記分岐路を介して熱媒用流路の分岐部よりも上流側に供給されて当該分岐路よりも上流側を流れる熱媒体と混合された後、低温側流路に供給される低温熱媒供給運転とを切換可能とし、前記低温熱媒供給運転時において前記低温側流路に供給される熱媒体の温度を変更する温度変更手段が設けられ、前記加熱部が前記低温側流路を流れる熱媒体と前記循環路を流れる湯水を熱交換する熱交換器で構成されたことを特徴とする請求項１に記載の炭酸風呂。
【請求項３】
熱媒用流路を介して熱媒体を循環させる熱媒用ポンプが設けられ、前記熱媒用流路が前記熱媒用ポンプよりも下流側の分岐部において高温側流路と低温側流路に分岐し、前記高温側流路に熱媒体を加熱する熱媒加熱手段が設けられ、前記高温側流路が前記熱媒加熱手段よりも下流側において高温端末側流路と分岐路に分岐し、前記分岐路の下流端が前記分岐部よりも上流側の熱媒用流路に接続され、前記熱媒加熱手段により加熱された熱媒体が前記高温端末側流路に供給される高温熱媒供給運転と、前記熱媒加熱手段により加熱された熱媒体が前記分岐路を介して前記熱媒用流路の分岐部よりも上流側に供給されて当該分岐路よりも上流側を流れる熱媒体と混合された後、前記低温側流路に供給される低温熱媒供給運転と、を切替可能とし、前記高温端末側流路及び低温側流路の両者に通じて、前記高温熱媒供給運転時において前記高温端末側流路から熱媒供給可能で且つ前記低温熱媒供給運転時において前記低温側流路から熱媒供給可能な熱交換器側流路を備え、前記加熱部が前記熱交換器側流路を流れる熱媒体と前記循環路を流れる湯水を熱交換する熱交換器で構成されたことを特徴とする請求項１に記載の炭酸風呂。
【発明の詳細な説明】
【技術分野】
【０００１】
本発明は炭酸ガスを溶解させた湯水を浴槽に供給する炭酸風呂に関する。
【背景技術】
【０００２】
従来から浴槽に炭酸ガスを溶解させた湯水を供給して炭酸浴を行えるようにした炭酸風呂が利用されている。この炭酸風呂を利用した炭酸浴は、湯水に溶け込んだ炭酸ガスによる末梢血管の拡張作用等で入浴者の血行が促進され、入浴者に対して保温作用があり、また、末梢循環障害の治療にもなると言われている。
【０００３】
特許文献１に開示される炭酸風呂は、浴槽内の湯水を循環流路を介して循環させる循環ポンプと、循環流路に設けられた炭酸ガス溶解器とを備え、炭酸ガス溶解器にて循環流路を流れる湯水に炭酸ガスを溶解させることで、浴槽内に炭酸ガスを溶解させた湯水を供給する。炭酸ガス溶解器よりも上流側の循環流路にはヒーターが設けられ、該ヒーターにより循環流路を流れる湯水を加熱できるようになっている。
【先行技術文献】
【特許文献】
【０００４】
【特許文献１】特開平８−２１５２７０号公報
【発明の概要】
【発明が解決しようとする課題】
【０００５】
ところで、特許文献１の炭酸風呂は、循環ポンプを駆動して浴槽内の湯水を循環させると共にヒーターにより循環流路を流れる湯水を加熱できる。しかし、循環する湯水がヒーターにより加熱された際には、湯水に溶解した炭酸ガスが析出して、炭酸濃度が低下する恐れがある。また、配管内で前記炭酸ガスの析出が生じることは安全上好ましくない。
【０００６】
本願発明は上記事情に鑑みてなされたものであって、浴槽内の湯水を循環させて加熱する追い焚きの際に、湯水に含まれる炭酸ガスが析出することを防止して、炭酸濃度の低下を防止すると共に安全性を高めることができる炭酸風呂を提供することを課題とする。
【課題を解決するための手段】
【０００７】
上記課題を解決するために本願発明の炭酸風呂は、炭酸ガスを溶解させた湯水を浴槽に供給する炭酸風呂モードと、炭酸ガスが溶解していない湯水を前記浴槽に供給する通常風呂モードを備え、前記浴槽内の湯水を循環路を介して循環させる循環ポンプと、前記循環路に設けられて前記循環路を流れる湯水を加熱する加熱部を備え、前記循環ポンプで前記浴槽内の湯水を循環させると共に前記加熱部で前記循環路を流れる湯水を加熱する通常風呂モード用の追い焚きと、前記循環ポンプで前記浴槽内の湯水を循環させると共に前記加熱部で前記循環路を流れる湯水を加熱して前記通常風呂モード用の追い焚き時よりも温度の低い低温湯とする炭酸風呂モード用の追い焚きとを行う制御部を備えたことを特徴とする。
【０００８】
また、熱媒用流路を介して熱媒体を循環させる熱媒用ポンプが設けられ、前記熱媒用流路が前記熱媒用ポンプよりも下流側の分岐部において高温側流路と低温側流路に分岐し、前記高温側流路に熱媒体を加熱する熱媒加熱手段が設けられ、前記高温側流路が前記熱媒加熱手段よりも下流側において高温端末側流路と分岐路とに分岐し、前記分岐路の下流端が前記分岐部よりも上流側の熱媒用流路に接続され、前記熱媒加熱手段により加熱された熱媒体が前記高温端末側流路に供給される高温熱媒供給運転と、前記熱媒加熱手段により加熱された熱媒体が前記分岐路を介して熱媒用流路の分岐部よりも上流側に供給されて当該分岐路よりも上流側を流れる熱媒体と混合された後、低温側流路に供給される低温熱媒供給運転とを切換可能とし、前記低温熱媒供給運転時において前記低温側流路に供給される熱媒体の温度を変更する温度変更手段が設けられ、前記加熱部が前記低温側流路を流れる熱媒体と前記循環路を流れる湯水を熱交換する熱交換器で構成されることが好ましい。
【０００９】
また、熱媒用流路を介して熱媒体を循環させる熱媒用ポンプが設けられ、前記熱媒用流路が前記熱媒用ポンプよりも下流側の分岐部において高温側流路と低温側流路に分岐し、前記高温側流路に熱媒体を加熱する熱媒加熱手段が設けられ、前記高温側流路が前記熱媒加熱手段よりも下流側において高温端末側流路と分岐路に分岐し、前記分岐路の下流端が前記分岐部よりも上流側の熱媒用流路に接続され、前記熱媒加熱手段により加熱された熱媒体が前記高温端末側流路に供給される高温熱媒供給運転と、前記熱媒加熱手段により加熱された熱媒体が前記分岐路を介して前記熱媒用流路の分岐部よりも上流側に供給されて当該分岐路よりも上流側を流れる熱媒体と混合された後、前記低温側流路に供給される低温熱媒供給運転と、を切替可能とし、前記高温端末側流路及び低温側流路の両者に通じて、前記高温熱媒供給運転時において前記高温端末側流路から熱媒供給可能で且つ前記低温熱媒供給運転時において前記低温側流路から熱媒供給可能な熱交換器側流路を備え、前記加熱部が前記熱交換器側流路を流れる熱媒体と前記循環路を流れる湯水を熱交換する熱交換器で構成されることが好ましい。
【発明の効果】
【００１０】
請求項１に係る炭酸風呂は、炭酸ガスを溶解させた湯水を浴槽に供給する炭酸風呂モードと、炭酸ガスが溶解していない湯水を浴槽に供給する通常風呂モードとに切り替えて利用できる。この炭酸風呂は、浴槽内の湯水に炭酸ガスが溶解しているときには、加熱部で循環路を流れる湯水を加熱して低温湯とする炭酸風呂モード用の追い焚きを行うことができる。このため、追い焚き時において加熱部により炭酸ガスが溶解した湯水が加熱されることによる炭酸ガスの析出を防止でき、これにより炭酸濃度の低下を防止でき、安全性を向上できる。また、浴槽内の湯水に炭酸ガスが溶解していないときには、加熱部で循環路を流れる湯水を加熱して炭酸風呂モードの追い焚き時よりも高温の湯とする通常風呂モード用の追い焚きを行うことができ、これにより速やかに湯温を高められる。
【００１１】
請求項２に係る炭酸風呂は、追い焚き時において低温熱媒供給運転を行い、この際に温度変更手段により低温側流路に供給される熱媒の温度を変更することで、加熱部で加熱する循環路を流れる湯水を加熱して通常風呂モード用の追い焚きにするか、通常風呂モード用の追い焚き時よりも低温の湯にして炭酸風呂モード用の追い焚きにするかを切り替えることができる。従って、浴室暖房乾燥装置等の高温端末に高温の熱媒を供給する高温熱媒供給運転と、床暖房装置等の低温端末に低温の熱媒を供給する低温熱媒供給運転とを切換えて行う給湯器を用いて請求項１に係る炭酸風呂のシステムを構築できる。
【００１２】
請求項３に係る炭酸風呂は、追い焚き時において高温熱媒供給運転を行い、この際に高温端末側流路から熱交換器側流路に熱媒を供給することで、加熱部で加熱する循環路を流れる湯水を高温にし、通常風呂モード用の追い焚きを行うことができる。また、追い焚き時において低温熱媒供給運転を行い、この際に低温側流路から熱交換器側流路に熱媒を供給することで、加熱部で加熱する循環路を流れる湯水を低温にし、炭酸風呂モード用の追い焚きを行うことができる。従って、浴室暖房乾燥装置等の高温端末に高温の熱媒を供給する高温熱媒供給運転と、床暖房装置等の低温端末に低温の熱媒を供給する低温熱媒供給運転とを切換えて行う給湯器を用いて請求項１に係る炭酸風呂のシステムを構築できる。
【図面の簡単な説明】
【００１３】
【図１】本願発明の第一実施形態の炭酸風呂の構成図である。
【図２】同上の加熱部に熱媒体を供給するシステムを示す構成図であり、（ａ）は高温熱媒供給運転時の熱媒体の流れを矢印で示し、（ｂ）は低温熱媒供給運転時の熱媒体の流れを矢印で示している。
【図３】同上の炭酸風呂のブロック図である。
【図４】通常風呂モードにおける自動湯張り時の湯水の流れを示す説明図である。
【図５】炭酸風呂モードにおける自動湯張り時の湯水及び炭酸ガスの流れを示す説明図である。
【図６】通常風呂モードにおける追い焚き時の湯水の流れを示す説明図である。
【図７】炭酸風呂モードにおける追い焚き時の湯水及び炭酸ガスの流れを示す説明図である。
【図８】本願発明の第二実施形態の加熱部に熱媒体を供給するシステムを示す構成図であり、（ａ）は高温熱媒供給運転時の熱媒体の流れを矢印で示し、（ｂ）は低温熱媒供給運転時の熱媒体の流れを矢印で示している。
【図９】第三実施形態の炭酸風呂の構成図である。
【図１０】第四実施形態の炭酸風呂の構成図である。
【発明を実施するための形態】
【００１４】
以下、本願発明を添付図面に示す実施形態に基づいて説明する。
【００１５】
（第一実施形態）図１乃至図７に示す第一実施形態の炭酸風呂は湯張り機能と追い焚き機能を有するシステムであって、浴槽２と給湯器２９と炭酸ガスボンベ１５を備えている。
【００１６】
図１のように浴槽２には供給口５と吸込口６が設けられている。本実施形態では浴槽２に供給口５と吸込口６が設けられた一つのアダプタ７が取り付けられている。供給口５には供給路８の一端が接続され、吸込口６には戻し路９の一端が接続されている。供給路８の他端と戻し路９の他端が接続されて循環路１１が構成されている。供給路８と戻し路９の接続部には水源である水道から水が供給される給水路１０の下流端が接続され、給水路１０には弁１７が設けられている。
【００１７】
供給路８には給水路１０から供給される水を加熱する加熱部１が設けられている。加熱部１よりも下流側の供給路８で浴槽２に湯を供給する給湯路２８が構成されている。
【００１８】
給湯路２８には炭酸ガスを混合溶解する炭酸ガス溶解部１３が設けられている。炭酸ガス溶解部１３には炭酸ガス供給路１４を介して炭酸ガスボンベ１５が接続されている。炭酸ガス供給路１４の途中には弁１６が設けられている。戻し路９には、上流側から順に、循環ポンプ３、サーミスタ等の湯温検知手段１９、弁２０が設けられている。
【００１９】
弁１６は開度調節可能で、開度を調節することで後述する炭酸風呂モードにおいて炭酸ガスボンベ１５から炭酸ガス溶解部１３に供給される炭酸ガスの流量を調節できるようになっている。
【００２０】
加熱部１で加熱されて浴槽２に供給される湯の温度は、湯温設定釦２１で設定された設定温度とされる。この湯温を調整する手段としては、例えば加熱部１で加熱された水と別途水道から供給された水との混合量を調整したり、加熱部１を加熱する熱媒の流量や供給間隔の調整をしたり、弁１７の開度を調整して給水路１０からの水の供給量の調整したり、循環ポンプ３により浴槽２内の湯の循環量を調整したり、加熱部１を加熱する熱媒の流量を調整したりすることが挙げられ、これらのうちのいずれであってもよい。
【００２１】
給湯器２９は、給湯器本体３１と、浴室や他の部屋の壁に設けられて離れた箇所に設置された操作盤１２（図３参照）を備え、操作盤１２を操作することで給湯器本体３１は制御される。給湯器本体３１は、弁１６、１７、２０、循環ポンプ３、これらを制御する制御部４、加熱部１、及び炭酸ガス溶解部１３を有している。
【００２２】
図３のように操作盤１２には、電源のＯＮ／ＯＦＦを切り替える電源釦２２、運転モードを切り替えるためのモード設定釦２３、加熱部１で加熱されて生成される湯の温度を設定する湯温設定釦２１、湯張り量を設定するための湯張り量設定釦２５、湯張りの運転指令をする自動湯張り釦２４、追い焚きの運転指令をする追い焚き釦２６が設けられている。また、操作盤１２には、給湯器本体３１の電源のＯＮ／ＯＦＦ状態や、モード設定釦２３で設定された運転モード、湯温設定釦２１で設定された湯温、湯張り量設定釦２５で設定された湯張り量等を表示する表示部２７が設けられている。
【００２３】
本実施形態の炭酸風呂は、加熱部１で加熱された湯に炭酸ガスを混合溶解して浴槽２に供給する炭酸風呂モードと、炭酸ガスが溶解していない湯を浴槽２に供給する通常風呂モードを備えている。
【００２４】
通常風呂モードで自動湯張りを行うには例えば以下のように操作盤１２を操作する。まず、電源釦２２を操作して給湯器本体３１の電源を入れ、モード設定釦２３を操作して通常風呂モードに設定し、湯温設定釦２１を操作して浴槽２に供給される湯水の温度を設定し、湯張り量設定釦２５を操作して湯張り量を設定し、この後、自動湯張り釦２４を操作して湯張りの運転指令をする。このようにすると、制御部４は、図４のように弁１６、２０を閉じた状態で弁１７を開き、加熱部１による加熱を開始する。これにより給水路１０から供給路８に水が供給され、この水が加熱部１で加熱されて湯温設定釦２１で設定された温度の湯となり、この湯が供給口５を介して浴槽２内に供給される。そして、図示しない湯量測定手段により浴槽２内の湯量が湯張り量設定釦２５で設定された湯量となったことが検知されると、制御部４は、弁１７を閉じ、加熱部１による加熱を停止する。これにより、浴槽２には湯張り量設定釦２５で設定された湯張り量で所望温度の湯が張られる。
【００２５】
また、炭酸風呂モードで自動湯張りを行う場合は例えば以下のように操作盤１２を操作する。まず、電源釦２２を操作して電源を入れ、モード設定釦２３を操作して炭酸風呂モードに設定し、次に湯温設定釦２１を操作して浴槽２に供給される湯水の温度を設定し、湯張り量設定釦２５を操作して湯張り量を設定し、この後、自動湯張り釦２４を操作して湯張りの運転指令をする。すると、制御部４は、図５のように弁２０を閉じた状態で弁１７を開き、加熱部１による加熱を開始する。また、この炭酸風呂モードにおける給湯時には制御部４による制御のもと弁１６が開かれる。弁１６は浴槽２に所定濃度の炭酸ガスを含む湯が供給されるように制御部４により開度が調整されて開かれ、これにより、給水路１０から供給路８に水が供給され、この水が加熱部１で加熱されて湯温設定釦２１で設定された温度の湯となり、この湯に炭酸ガスボンベ１５から炭酸ガス供給路１４を介して炭酸ガス溶解部１３に供給された炭酸ガスが当該炭酸ガス溶解部１３にて混合溶解され、この炭酸ガス溶解湯が供給口５から浴槽２内に供給される。そして、前記湯量測定手段により浴槽２内の湯量が湯張り量設定釦２５で設定された湯量になったことが検知されると、制御部４は、弁１６、１７を閉じると共に加熱部１による加熱を停止する。これにより、浴槽２には、炭酸ガスを含み、湯張り量設定釦２５で設定された湯張り量で所望温度の湯が張られる。
【００２６】
前記通常風呂モードにおける自動湯張りが終了した後及び炭酸風呂モードにおける自動湯張りが終了した後、制御部４は湯温検知手段１９により所定時間毎に戻し路９内の湯温を検知する。これにより湯温が湯温設定釦２１で設定された湯温よりも低い追い焚き温度に低下したことが検知されると、制御部４は、図６（通常風呂モード設定時）及び図７（炭酸風呂モード設定時）のように弁１７を閉じた状態で弁２０を開き、循環ポンプ３を運転すると共に加熱部１による加熱を開始する。これによって浴槽２内の湯は吸込口６から循環路１１に吸込まれて加熱部１で加熱されて湯温設定釦２１で設定された温度の湯となり、この後、供給口５から浴槽２に供給される。すなわち、循環路１１を介して循環される浴槽２内の湯水が加熱部１で加熱されて自動追い焚きがなされる。そして、湯温検知手段１９により検知された湯温が湯温設定釦２１で設定された温度になると、制御部４は、循環ポンプ３を停止すると共に加熱部１による加熱を停止する。
【００２７】
通常風呂モードに設定されている状態で前記自動追い焚きが行われた際には、弁１６が閉じられる。従って、浴槽２には炭酸ガスが溶解していない湯水が供給される。これに対して、炭酸風呂モードに設定されている状態で前記自動追い焚きが行われた際には、制御部４による制御のもと弁１６が開かれる。これによって炭酸風呂モードにおける自動追い焚き時には、循環路１１を流れる湯水に炭酸ガスが供給され、浴槽２に炭酸ガスを溶解させた湯水が供給される。
【００２８】
また、操作盤１２の追い焚き釦２６を操作することにより手動の追い焚きを行うこともできる。追い焚き釦２６が操作されると、制御部４は、前記湯張り終了後の自動追い焚きと同様に弁１７を閉じた状態で弁２０を開き、循環ポンプ３を運転すると共に加熱部１による加熱を開始し、湯温検知手段１９により検知された湯温が湯温設定釦２１で設定された温度になると、循環ポンプ３を停止すると共に加熱部１による加熱を停止する。なお、この手動追い炊き時においても、通常風呂モードに設定されている場合には、弁１６を閉じた状態で追い焚きが行われ、炭酸風呂モードに設定されている場合には弁１６が開かれて循環路１１を流れる湯水に炭酸ガスを溶解させる。
【００２９】
ここで、本実施形態の炭酸風呂は、前記自動追い焚き時及び手動追い焚き時において、通常風呂モードに設定されているか、あるいは炭酸風呂モードに設定されているかにより、加熱部１にて循環路１１を流れる湯水を加熱する温度を異ならせるようにしている。
【００３０】
図２のように、給湯器本体３１は熱媒用流路３３に設けられて熱媒となる水を循環させる熱媒用ポンプ３４を備えている。熱媒用流路３３は熱媒用ポンプ３４よりも下流側の分岐部３５において高温側流路３６と低温側流路３７に分岐している。高温側流路３６には熱媒体を加熱するバーナーからなる熱媒加熱手段３８が設けられ、該熱媒加熱手段３８も給湯器本体３１に設けられている。
【００３１】
高温側流路３６は熱媒加熱手段３８よりも下流側において高温端末側流路３９と分岐路４０とに分岐している。高温端末側流路３９は浴室暖房乾燥装置等の高温端末に接続され、分岐路４０の下流端は熱媒用ポンプ３４よりも上流側の熱媒用流路３３に接続されている。
【００３２】
低温側流路３７は低温端末側流路４１と熱交換器側流路４２に分岐し、低温端末側流路４１は床暖房装置等の低温端末に接続され、熱交換器側流路４２の下流端は熱媒用ポンプ３４よりも上流側（すなわち戻り側）の熱媒用流路３３に接続されている。熱交換器側流路４２には、熱交換器側流路４２を流れる温水と供給路８を流れる湯水の熱交換を行う熱交換器４３が設けられ、本実施形態ではこの熱交換器４３によって加熱部１が構成されている。また、熱交換器側流路４２の熱交換器４３よりも下流側には弁４４が設けられ、該弁４４も給湯器本体３１に設けられている。
【００３３】
給湯器本体３１は、制御部４により、図２（ａ）のように高温端末側流路３９に高温の熱媒体を供給する高温熱媒供給運転と、図２（ｂ）のように低温側流路３７に低温から中温の熱媒体を供給する低温熱媒供給運転とを切り換えて運転できるようになっている。
【００３４】
図２（ａ）に示す高温熱媒供給運転時には、熱媒用ポンプ３４が運転され、熱媒用流路３３の熱媒体が高温側流路３６に供給されて熱媒加熱手段３８で加熱され、この加熱された熱媒体が高温端末側流路３９及び分岐路４０に供給される。このうち分岐路４０に供給された熱媒体は熱媒用流路３３の熱媒用ポンプ３４よりも上流側を流れる熱媒体と混合され、この後、熱媒用ポンプ３４を介して再び高温側流路３６に供給される。他方、高温端末側流路３９に供給された熱媒体は高温端末に供給される。具体的に高温端末には８０℃の熱媒体が供給されるよう設定されている。
【００３５】
図２（ｂ）に示す低温熱媒供給運転時には、熱媒用ポンプ３４が運転され、熱媒用流路３３の熱媒体が高温側流路３６と低温側流路３７に供給され、このうち高温側流路３６に供給された熱媒体にあっては、熱媒加熱手段３８で加熱された後、分岐路４０に供給される。そして、この熱媒体は熱媒用流路３３の熱媒用ポンプ３４よりも上流側を流れる熱媒体と混合され、この後、熱媒用ポンプ３４を介して再び高温側流路３６と低温側流路３７に供給される。他方、低温側流路３７に供給された熱媒体にあっては、弁４４が閉じた状態であれば低温端末側流路４１を介して低温端末に供給される。また、弁４４が開いた状態であれば、熱交換器側流路４２を介して熱交換器４３に供給される。この低温熱媒供給運転時には、分岐路４０に開度調節できる弁を設けて分岐路４０から熱媒用流路３３に供給される熱媒体の流量を調整したり、熱媒加熱手段３８による熱媒の加熱温度を可変として、低温側流路３７に供給される熱媒体の温度を変更できるようになっている。すなわち、前者では弁が熱媒体の温度を変更する温度変更手段を構成し、後者では熱媒加熱手段３８が温度変更手段を構成する。具体的には低温端末や熱交換器４３には５５〜７０℃の熱媒体を供給できるようになっている。
【００３６】
通常風呂モードに設定されている状態で前記自動追い焚きや手動追い焚きがなされると、制御部４は、弁４４を開いた状態で低温熱媒供給運転を行い、熱媒加熱手段３８により加熱された熱媒体を熱交換器側流路４２に供給し、熱交換器４３において熱交換器側流路４２を流れる熱媒体と供給路８を流れる湯水の熱交換を行う。この時、熱交換器側流路４２には、追い焚きの初期のみ７０℃に加温された熱媒体が供給され、それ以降は５５℃に加温された熱媒が供給されるよう設定されており、すなわち、追い焚きの初期には速やかに湯温が加熱されるようになっている（ダッシュモード）。
【００３７】
一方、炭酸風呂モードに設定されている状態で前記自動追い焚きや手動追い焚きがなされると、制御部４は、弁４４を開いた状態で低温熱媒供給運転を行い、熱媒加熱手段３８により加熱された熱媒体を熱交換器側流路４２に供給し、熱交換器４３において熱交換器側流路４２を流れる熱媒体と供給路８を流れる湯水の熱交換を行う。この時、熱交換器側流路４２には、５５℃に加温された熱媒が供給されるよう設定されており、すなわち炭酸風呂モードにおける追い焚き時には通常風呂モードにおける追い焚きの初期運転時よりも低い温度の湯が浴槽２に供給される。
【００３８】
このように炭酸風呂モードにおける追い焚き時に循環路１１を流れる水が低温で加熱されるようにすると、加熱部１による加熱により湯水に溶解した炭酸ガスが析出することを防止でき、炭酸濃度の低下を抑えることができる。また、通常風呂モードにおける追い焚きの初期運転時には循環路１１を流れる水を高温で加熱でき、湯温を速やかに高めることができる。
【００３９】
また、本実施形態の炭酸風呂は、浴室暖房乾燥装置等の高温端末に高温の熱媒体を供給する高温熱媒供給運転と、床暖房装置等の低温端末に低温の熱媒体を供給する低温熱媒供給運転とを切換えて行う給湯器２９を用いて既述のシステムを構築できる。なお、本実施形態では、通常風呂モードに設定されている状態で前記自動追い焚きや手動追い焚きがなされたとき、追い焚きの初期のみ加熱部１で供給路８の水が高温に加熱されるようにしたが、この追い焚きの際には常時加熱部１で供給路８の水が高温に加熱されるようにしてもかまわない。
【００４０】
（第二実施形態）次に第二実施形態について説明する。なお第一実施形態と同一の構成については同一の番号を付与し、重複する説明は省略する。
【００４１】
図８のように本実施形態では、熱交換器側流路４２の上流端が高温端末側流路３９に接続され、低温側流路３７の分岐部３５よりも下流側と、高温端末側流路３９の熱交換器側流路４２よりも上流側とが連絡路４６で接続され、連絡路４６には弁４７が設けられている。
【００４２】
高温熱媒供給運転時において高温端末側流路３９に供給された熱媒体は、弁４４が閉じた状態であれば高温端末に供給される。また、弁４４が開いた状態であれば、熱交換器側流路４２を介して熱交換器４３に供給される。具体的には高温端末や熱交換器４３には８０℃の熱媒体が供給されるように設定されている。
【００４３】
低温熱媒供給運転時において低温側流路３７に供給された熱媒体は、弁４７が閉じた状態であれば低温端末側流路４１を介して低温端末に供給される。また、弁４７が開いた状態であれば、連絡路４６、高温端末側流路３９、及び熱交換器側流路４２を介して熱交換器４３に供給される。すなわち、本実施形態では弁４４、４７で熱交換器側流路４２に高温端末側流路３９又は低温側流路３７のいずれから熱媒を供給するかを切換える手段が構成されている。
【００４４】
この低温熱媒供給運転では、分岐路４０に開度調節できる弁を設けて分岐路４０から熱媒用流路３３に供給される熱媒体の流量を調整したり、熱媒加熱手段３８による熱媒の加熱温度を可変として、低温側流路３７に供給される熱媒体の温度を変更できるようになっている。すなわち、前者では弁が熱媒体の温度を変更する温度変更手段を構成し、後者では熱媒加熱手段３８が温度変更手段を構成する。具体的には低温端末や熱交換器４３には５５〜７０℃の熱媒体を供給できるようになっている。
【００４５】
通常風呂モードに設定されている状態で前記自動追い焚きや手動追い焚きがなされると、制御部４は、弁４４を開き且つ弁４７を閉じた状態で高温熱媒供給運転を行い、図８（ｂ）のように熱媒加熱手段３８により加熱された熱媒体を熱交換器側流路４２に供給し、熱交換器４３において熱交換器側流路４２を流れる熱媒体と供給路８を流れる湯水の熱交換を行う。この時、熱交換器側流路４２には常時８０℃に加温された熱媒体が供給されるよう設定されている。
【００４６】
一方、炭酸風呂モードに設定されている状態で前記自動追い焚きや手動追い焚きがなされると、制御部４は、弁４４、４７を開いた状態で低温熱媒供給運転を行い、図８（ａ）のように低温側流路３７に供給された熱媒体を連絡路４６、高温端末側流路３９、及び熱交換器側流路４２を介して熱交換器４３に供給し、熱交換器４３において熱交換器側流路４２を流れる熱媒体と供給路８を流れる湯水の熱交換を行う。この時、熱交換器側流路４２には５５〜７０℃に加温された熱媒体が供給されるよう設定されている。すなわち本実施形態では炭酸風呂モードにおける追い焚き時には通常風呂モードにおける追い焚き時よりも低い温度の湯が浴槽２に供給されるようになっている。
【００４７】
なお、第一実施形態及び第二実施形態では給水路１０、戻し路９にそれぞれ弁１７、２０を設けた例を示しているが、これらの弁１７、２０に代えて給水路１０と戻し路９と供給路８を三方切替弁を介して接続してもよいものとする。また、炭酸風呂モードにおいて行われる自動追い焚きの際には、弁１６を閉じて循環路１１を流れる湯水に炭酸ガスが供給されないようにしてもよい。
【００４８】
（第三実施形態）次に上記とは異なる第三実施形態を図９に示す。なお以下の第三実施形態の説明では第一実施形態と同一の構成については同一の番号を付与し、重複する説明は省略する。
【００４９】
第一実施形態では同一の加熱部１で湯張りの際の加熱と追い焚きの際の加熱を行うようにしたが、本実施形態では加熱部１を追い焚きの際の加熱のみに用い、該追い焚き用の加熱部１とは別に湯張り用の加熱部５０を備えている。
【００５０】
加熱部５０は給湯器本体３１に設けられている。なお、図９では、作図上、加熱部１、弁１６、２０、湯温検知手段１９、循環ポンプ３、及び炭酸ガス溶解部１３が給湯器本体３１と別位置に図示されているが、これらは全て第一実施形態と同様に給湯器本体３１に設けられている。
【００５１】
加熱部５０は湯供給路５１を介して供給路８と戻し路９の接続部に接続され、湯供給路５１と供給路８で給湯路２８が構成されている。なお、本実施形態では給水路１０は設けられていない。
【００５２】
湯供給路５１は途中で加熱部５０から供給された湯のみを通過させる第一湯供給路５２と炭酸ガス溶解部１３が設けられた第二湯供給路５３とに分岐し、下流側で再び一つの湯供給路５１として合流している。
【００５３】
第一湯供給路５２と、第二湯供給路５３の炭酸ガス溶解部１３の上流側の夫々には弁５４、５５が設けられている。弁５４、５５はいずれも給湯器本体３１に配設されている。
【００５４】
通常風呂モードで自動湯張り釦２４が操作されて湯張りの運転指令がなされると、制御部４は、弁１６、２０、５５を閉じた状態で弁５４を開き、加熱部５０による加熱を開始する。
【００５５】
これにより加熱部５０で湯温設定釦２１で設定された温度に加熱された湯が湯供給路５１に供給され、この後、第一湯供給路５２及び供給路８を経て供給口５から浴槽２内に供給される。そして、湯量測定手段により浴槽２内の湯量が湯張り量設定釦２５で設定された湯量となったことが検知されると、制御部４は弁５４を閉じ、加熱部５０による加熱を停止する。これにより、浴槽２には、湯張り量設定釦２５で設定された湯張り量で所望温度の湯が張られる。なお、この自動湯張り時には加熱部１による加熱は行われない。
【００５６】
また、炭酸風呂モードで自動湯張り釦２４が操作されて湯張りの運転指令がなされると、制御部４は、弁２０、５４を閉じた状態で弁５５を開き、加熱部５０による加熱を開始する。また、この炭酸風呂モードにおける給湯時には制御部４による制御のもと弁１６が開かれる。
【００５７】
これにより、加熱部５０で湯温設定釦２１で設定された温度に加熱された湯が湯供給路５１に供給され、第二湯供給路５３に供給される。この湯には炭酸ガスボンベ１５から炭酸ガス供給路１４を介して炭酸ガス溶解部１３に供給された炭酸ガスが当該炭酸ガス溶解部１３にて混合溶解され、この炭酸ガス溶解湯が供給路８を経て供給口５から浴槽２内に供給される。そして、湯量測定手段により浴槽２内の湯量が湯張り量設定釦２５で設定された湯量になったことが検知されると、制御部４は弁１６、５５を閉じると共に加熱部５０による加熱を停止する。これにより、浴槽２には、炭酸ガスを含み、湯張り量設定釦２５で設定された湯張り量で所望温度の湯が張られる。
【００５８】
また、通常風呂モードにおける自動湯張りが終了した後及び炭酸風呂モードにおける自動湯張りが終了した後に行われる自動追い焚き、並びに手動追い焚きにあっては、弁１６、５４、５５が閉じられた状態で行なわれる。
【００５９】
本実施形態においても、第一実施形態と同様に、炭酸風呂モードにおける追い焚き時に循環路１１を流れる水が低温で加熱され、加熱部１による加熱により湯水に溶解した炭酸ガスが析出することを防止できる。また、通常風呂モードにおける追い焚き時には循環路１１を流れる水を高温で加熱でき、湯温を速やかに高めることができる。なお、本実施形態でも第二実施形態と同様の構成により、炭酸風呂モードの追い焚き時に循環路１１を流れる水が低温で加熱すると共に、通常風呂モードの追い焚き時に循環路１１を流れる水を高温で加熱するようにしてもよい。
【００６０】
（第四実施形態）次に上記とは異なる第四実施形態を図１０に示す。なお以下の第四実施形態の説明では第一実施形態と同一の構成については同一の番号を付与し、重複する説明は省略する。
【００６１】
第一実施形態では同一の加熱部１で湯張りの際の加熱と追い焚きの際の加熱を行うようにしたが、本実施形態では加熱部１を追い焚きの際の加熱のみに用い、該追い焚き用の加熱部１とは別に湯張り用の加熱部５０を備えている。
【００６２】
加熱部５０は給湯器本体３１に設けられている。なお、図１０では、作図上、加熱部１、弁１６、１７、２０、湯温検知手段１９、循環ポンプ３、及び炭酸ガス溶解部１３が給湯器本体３１と別位置に図示されているが、これらは全て第一実施形態と同様に給湯器本体３１に設けられている。
【００６３】
加熱部５０は給水路１０の弁１７よりも下流側に湯供給路５７を介して接続され、供給路８、湯供給路５７、及び両者８、５７を接続する給水路１０で給湯路２８が構成されている。湯供給路５７には弁５６が設けられ、弁５６も給湯器本体３１に配設されている。
【００６４】
炭酸ガス溶解部１３は給水路１０の弁１７よりも下流側に設けられている。給水路１０の炭酸ガス溶解部１３よりも下流側には湯水混合部５８が設けられ、湯供給路５７の下流端は湯水混合部５８に接続されている。
【００６５】
通常風呂モードで自動湯張り釦２４が操作されて湯張りの運転指令がなされると、制御部４は、弁１６、２０を閉じた状態で弁１７、５６を開き、加熱部５０による加熱を開始する。
【００６６】
これにより加熱部５０で加熱された湯が湯供給路５７を介して湯水混合部５８に供給され、該湯水混合部５８において給水路１０から供給された低温の水と混合割合を調整して混合され、これによって湯温設定釦２１で設定された温度の湯が供給路８に供給され、該供給路８を経て供給口５から浴槽２内に供給される。
【００６７】
そして、湯量測定手段により浴槽２内の湯量が湯張り量設定釦２５で設定された湯量となったことが検知されると、制御部４は弁１７、５６を閉じ、加熱部５０による加熱を停止する。これにより、浴槽２には、湯張り量設定釦２５で設定された湯張り量で所望温度の湯が張られる。なお、この自動湯張り時には加熱部１による加熱は行われない。
【００６８】
また、炭酸風呂モードで自動湯張り釦２４が操作されて湯張りの運転指令がなされると、制御部４は、弁２０を閉じた状態で弁１７、５６を開き、加熱部５０による加熱を開始する。また、この炭酸風呂モードにおける給湯時には制御部４による制御のもと弁１６が開かれる。
【００６９】
これにより、加熱部５０で加熱された湯が湯供給路５７を介して湯水混合部５８に供給される。また、炭酸ガスボンベ１５から炭酸ガス供給路１４を介して炭酸ガス溶解部１３に供給された炭酸ガスが当該炭酸ガス溶解部１３にて給水路１０を流れる低温の水に混合溶解される。そして、湯水混合部５８において、前記湯供給路５７から供給された湯と、給水路１０から供給され、炭酸ガスを溶解させた低温の水とが混合割合を調整して混合され、これによって湯温設定釦２１で設定された温度の炭酸ガスを溶解させた湯が供給路８に供給され、該供給路８を経て供給口５から浴槽２内に供給される。そして、湯量測定手段により浴槽２内の湯量が湯張り量設定釦２５で設定された湯量になったことが検知されると、制御部４は弁１６、１７、５６を閉じると共に加熱部５０による加熱を停止する。これにより、浴槽２には、炭酸ガスを含み、湯張り量設定釦２５で設定された湯張り量で所望温度の湯が張られる。
【００７０】
また、通常風呂モードにおける自動湯張りが終了した後及び炭酸風呂モードにおける自動湯張りが終了した後に行われる自動追い焚き、並びに手動追い焚きにあっては、弁１６、１７、５６が閉じられた状態で行なわれる。
【００７１】
本実施形態においても、第一実施形態と同様に、炭酸風呂モードにおける追い焚き時に循環路１１を流れる水が低温で加熱され、加熱部１による加熱により湯水に溶解した炭酸ガスが析出することを防止できる。また、通常風呂モードにおける追い焚き時には循環路１１を流れる水を高温で加熱でき、湯温を速やかに高めることができる。なお、本実施形態でも第二実施形態と同様の構成により、炭酸風呂モードの追い焚き時に循環路１１を流れる水が低温で加熱すると共に、通常風呂モードの追い焚き時に循環路１１を流れる水を高温で加熱するようにしてもよい。
【００７２】
また、前記各実施形態では、通常風呂モード及び炭酸風呂モードにおける自動湯張り時における加熱部１による湯水の加熱は、両者共に高温の加熱部１で加熱してもよいし、通常風呂モードの自動湯張り時には高温で加熱すると共に炭酸風呂モードの自動湯張り時には低温の加熱部１で加熱してもよいし、あるいは通常風呂モードの自動湯張り時及び炭酸風呂モードにおける自動湯張り時の両者共に低温の加熱部１で加熱してもよい。
【符号の説明】
【００７３】
１  加熱部
２  浴槽
３  循環ポンプ
４  制御部
１１  循環路
１３  炭酸ガス溶解部
２９  給湯器
【図１】
2011212129.tif 000003
【図２】
2011212129.tif 000004
【図３】
2011212129.tif 000005
【図４】
2011212129.tif 000006
【図５】
2011212129.tif 000007
【図６】
2011212129.tif 000008
【図７】
2011212129.tif 000009
【図８】
2011212129.tif 000010
【図９】
2011212129.tif 000011
【図１０】
2011212129.tif 000012